(57)【要約】【課題】  一般の使用者には電話機を取り外すことが困難で、保守・工事等を行う限られた者には簡単な工具で容易に着脱することができて、保守・工事のしやすい着脱容易な電話機の壁取付け構造を提供する。【解決手段】  電話機を所定の位置へ収納するガイド部と電話機を固定する固定爪を設けたブラケットと、底板部に前記固定爪に係合する固定用穴と前記係合を解放する開放用穴を設け前記電話機の上面から前記開放用穴の上部まで貫通するように工具挿入穴が形成された電話機から成り、電話機を壁面に対して垂直方向へ押し込む動作のみで前記固定爪と固定用穴が係合して電話機が固定され、前記工具挿入穴に挿入した工具の操作で前記係合を開放した後電話機を壁面に対して垂直方向へ引き出す動作のみで電話機を取外し可能とした。【選択図】  図１
0003141502.tif 000002
【実用新案登録請求の範囲】
【請求項１】
電話機を所定の位置へ収納するために上下左右の外縁部に設けたガイド部と電話機を固定する固定爪を設けたブラケットと、電話機の底板部には前記固定爪に係合する固定用穴と前記電話機を固定爪から開放する開放用穴を設け前記電話機の上面から前記開放用穴の上部まで貫通するように工具挿入穴が形成された電話機から成り、電話機を壁面に対して垂直方向へ押し込む動作のみで前記固定爪と固定用穴が係合して電話機が固定され、前記工具挿入穴に挿入した工具の操作で前記係合を開放した後電話機を壁面に対して垂直方向へ引き出す動作のみで電話機を取外し可能としたことを特徴とする着脱容易な電話機の壁取付け構造。
【請求項２】
請求項１に記載の電話機の壁取付け構造において、電話機と外部電話回線を接続するコネクタおよびケーブルを所定の位置に収納するコネクタガイドとケーブルガイドをブラケットにさらに有し、
前記電話機が固定爪から開放され壁面から取外された場合においても電話機と外部電話回線の接続が保たれていることを特徴とする着脱容易な電話機の壁取付け構造。
【考案の詳細な説明】
【技術分野】
【０００１】
本考案は、電話機の壁取付け構造に関するものである。
【背景技術】
【０００２】
電話機を壁面に設置して使用する場合は、壁面からの突出部分を少なくするため電話機の底部を壁面に設けた凹部(埋め込み穴)に埋め込む構造が用いられている。
特に、ホテル等不特定の人が使用する場所に設置されるような場合は一般の使用者が取外しする等の悪戯がしにくいように上記の構造が採用されていることが多い。
一方、電話機の設置工事や保守点検を行う場合は、容易に着脱可能であることが求められる。
実開昭５７−６７４４９号公報では斜め上方に延在する複数のガイド片を具備したブラケットを埋め込み穴の底面に固設し、ガイド片を電話機筐体の底面に設けた取り付け穴に挿入して該電話機をブラケットに引っ掛けて取り付ける構造が提供されている。
【特許文献１】実開昭５７−６７４４９号公報
【考案の開示】
【考案が解決しようとする課題】
【０００３】
しかしながら、前記提供されている構造では電話機の着脱は容易であるが、ガイド片と電話機筐体の底面に設けた取り付け穴とは摩擦結合によって保持されているだけなので、誰でもが容易に取り外しできてしまうという問題点があった。
【０００４】
本考案は上記の問題点を解決するもので、一般の使用者には電話機を取り外すことが困難で、保守・工事等を行う限られた者には簡単な工具で容易に着脱することができて、保守・工事のしやすい着脱容易な電話機の壁取付け構造を提供することを課題としている。
【課題を解決するための手段】
【０００５】
上記の課題を達成するために、第１の考案は、電話機を所定の位置へ収納するために上下左右の外縁部に設けたガイド部と電話機を固定する固定爪を設けたブラケットと、電話機の底板部には前記固定爪に係合する固定用穴と前記電話機を固定爪から開放する開放用穴を設け前記電話機の上面から前記開放用穴の上部まで貫通するように工具挿入穴が形成された電話機とから成り、電話機を壁面に対して垂直方向へ押し込む動作のみで前記固定爪と固定用穴が係合して電話機が固定され、前記工具挿入穴に挿入した工具の操作で前記係合を開放した後電話機を壁面に対して垂直方向へ引き出す動作のみで電話機を取外し可能としたことを特徴とする。
【０００６】
また、第２の考案は、上記記載の電話機の壁取付け構造において、電話機と外部電話回線を接続するコネクタおよびケーブルを所定の位置に収納するコネクタガイドとケーブルガイドをブラケットにさらに有し、前記電話機が固定爪から開放され壁面から取外された場合においても電話機と外部電話回線の接続が保たれていることを特徴とする。
【考案の効果】
【０００７】
本考案に係わる着脱容易な電話機の壁取付け構造によれば、保守点検・設置工事等を行う限られた者には簡単な工具で容易に着脱することができて、一般の使用者には着脱方法を見つけ出すことが困難な構造を有しているので、保守点検・設置工事等を容易に行うことができ、一般の使用者による悪戯等を防止できる。
また、壁面から取外された場合においても電話機と外部電話回線の接続が保たれているので保守点検作業を容易に行うことができる。
電話機を壁面に対して垂直方向へ移動する動作のみで着脱可能なので、電話機の周囲に近接して他の機器が設置された場合でも設置、保守点検作業を容易に行うことが可能であり、機器を設置するためのスペースを最小限に抑えることができる。
【実施例】
【０００８】
以下、図面を参照して本考案の実施の形態について詳細を説明する。
図１は本考案による位置実施例の全体構成を示す側面図である。１０はハンドセット、１１は電話機本体２０とハンドセット１０を接続するハンドセットコード、２０は電話機本体、３０はブラケット、４０は壁面、５０は壁面４０に設けた凹部(埋め込み穴)である。埋め込み穴５０の底面にはブラケット３０が止めねじ（図示しない）等で固定されており、電話機本体２０はブラケット３０に備えられたガイド部３２に電話機本体２０の下部に形成されたガイド収納部２３の凹部を沿わせてその位置をガイドされながら埋め込み穴５０の中へ移動、収納される。
【０００９】
以下の図面において図面の複雑さを避けるため、ハンドセットコード１１は図示を省略している。図２および図３は電話機本体２０の外観構造を示し、図２（ａ）は正面図、図２（ｂ）は側面図、図３は背面図である。
図２および図３に示すように電話機本体２０の底部２９には電話機本体２０をブラケット３０に固定する固定穴２１と電話機本体２０を取外すための開放用穴２２が中央部の長穴Ａ２９１に沿って近接して形成され、長穴Ａ２９１の両側には長穴Ｂ２９２が形成されている。
２３は電話機本体２０を着脱する場合にその位置をガイドするガイド収納部、２４は電話機と電話ケーブルを接続するためのコネクタＡである。
２５は電話機を使用しないときにハンドセット１０を掛けておくハンドセットフックである。
【００１０】
図４はブラケット３０の外観構造を示し、（ａ）は側面図、（ｂ）は正面図、（ｃ）はＢ−Ｂ断面図である。
図４において、３１は電話機本体２０を固定するための固定爪でありその作用は後述する。３２はガイド部で電話機本体２０を着脱する際にその上下左右を所定の位置へガイドする。３６はブラケット３０を壁面へ固定するためのブラケット取付け穴である。
３３は端子台取付け穴、３４はコネクタガイド、３５はケーブルガイドであり、電話ケーブルを電話機本体に接続処理するための構成である。
【００１１】
図５は電話機本体２０を設置する前にブラケット３０に行うケーブル配線処理の方法を示し、（ａ）は正面図、（ｂ）はＣ−Ｃ断面図、（ｃ）はＤ−Ｄ断面図である。
端子台取付け穴３３を介してブラケット３０に取り付けられた端子台３７の端子には外部から導入された電話ケーブルＡ３０１が接続されるとともに一端がコネクタＢ３８に接続された所定の長さを持つケーブルＢ３０２の他端が接続される。
コネクタＢ３８はコネクタガイド３４によってガイドされ、電話機本体２０のコネクタＡ２４と勘合可能な位置に位置決めされる。ケーブルＢ３０２はケーブルガイド３５によって所定の位置にガイドされる。
図５（ｂ）および図５（ｃ）に示すように、各ガイド３４、３５の寸法ＡはコネクタＢ３８、ケーブルＢ３０２の寸法Ｂに対してＡ＞Ｂのように形成してあるためコネクタＢ３８およびケーブルＢ３０２は容易に着脱可能である。
【００１２】
次に、図６および図７を参照して電話機本体２０を設置する場合の作用を説明する。
図６は電話機本体２０を設置した状態を示し、（ａ）は一部を断面した側面図、（ｂ）はブラケット３０の底面（壁面に接する面）から見た図である。
図５に示したようにケーブル配線処理を施したブラケット３０をブラケット取付け穴３６を通して止めねじ等（図示せず）で埋め込み穴５０に固定する。
ケーブルＡ３０１はブラケット３０を固定する前に端子台３７に接続してもよいし固定した後に接続してもよい。
図６（ａ）に示したように、ケーブルＡ３０１、端子台３７、ケーブルＢ３０２、コネクタＢ３８、コネクタＡ２４が接続されて、電話機と外部電話回線の接続が保たれている。
【００１３】
図７（ａ），（ｂ）および（ｄ）は図６におけるＥ−Ｅ断面を示し、電話機本体２０の固定状態を示す説明図である。
図７（ａ）に示すように電話機本体２０のガイド収納部２３をブラケット３０のガイド部３２に沿わせて埋め込み穴５０（図示せず）に収納してゆくが、所定の位置まで収納されると図７（ｂ）に示すように電話機本体２０の底部２９に形成された固定穴２１がブラケット３０に設けられた固定爪３１に接触する。
さらに電話機本体を押し込んで行くと固定爪３１のテーパー部３１ａの作用により固定穴２１が図７（ｃ）に示す矢印Ｈ方向へ弾性変形し、固定爪３１の支持部３１ｂが図７（ｄ）に示す位置まで収納され、弾性変形していた固定穴２１はもとの位置へ復旧する。これによって電話機本体２０が埋め込み穴５０の所定の位置へ固定され固定穴２１と支持部３１ｂの作用によって取り外すことができない状態に固定される。
【００１４】
このとき電話機本体２０のコネクタＡ２４とブラケット３０に設置されたコネクタＢ３８は図６（ｂ）に示すように勘合可能な位置に設けられているので互いに接触することになり、ケーブルＡ３０１からコネクタＡ２４までの接続が達成される。
【００１５】
次に、電話機本体２０を取外す場合について説明する。
図８は図２におけるＡ−Ａ断面図を示し、ハンドセット１０がハンドセットフック２５にかけられている状態を示している。
２６は電話機本体２０を取外す場合に工具を挿入する工具挿入穴で、電話機本体２０の上面から開放用穴２２の上部まで貫通している穴として形成されており、本実施例では通常使用時はハンドセットフック２５よって目隠しされている。
【００１６】
図９はハンドセットフック２５の外観構造図、図１０（ａ）、（ｂ）、（ｃ）はハンドセットフック２５の回転動作を示す断面図、図１０（ｄ）は図（ａ）におけるＦ−Ｆ断面図、図１１はハンドセットフック２５を回転した後の電話機本体正面図である。
電話機本体２０を取外す場合は、図１０（ａ）に示すようにハンドセット１０をハンドセットフック２５から取外す。
この状態ではハンドセットフック２５の突起２５ａ、２５ｂと電話機本体２０に設けられたハンドセットフック挿入溝２７が干渉してハンドセットフック２５は回転動作できないが、図１０（ｂ）に示すようにハンドセットフック２５を図面上方へ移動することにより回転可能となる。回転した後は図１０（ｃ）に示すように工具挿入穴２６が露出する。図１１は、工具挿入穴２６が露出した状態の電話機本体２０の正面図である。
設置された電話機を取外す場合は、露出した工具挿入穴２６へ例えばマイナスドライバーのような先端が扁平形状をした取外し工具６０を挿入する。
上記のように、工具挿入穴２６は通常の使用状態ではハンドセットフック２５よって目隠しされているので、一般の使用者には電話機を取外す方法を見つけ出すことが困難であり悪戯等を防止できる。
【００１７】
図１２は、図１１におけるＢ−Ｂ断面を示し、取外し工具６０の作用を示す説明図である。
取外し工具６０の先端が開放用穴２２に挿入されるまで工具を移動した（図１２（ｂ）参照）後に取外し工具６０を右または左に回転させれば、開放用穴２２が図７（ｃ）に示したと同様に矢印Ｈ方向へ弾性変形して図１２（ｃ）の矢印Ｈの方向へ広がりそれに伴って開放用穴２２の近傍に形成されている固定穴２１も広がるので、電話機本体２０を壁面に対して垂直方向へ引き出せばブラケット３０に形成された固定爪３１の支持部３１ｂから固定穴２１が開放されて電話機本体２０を簡単に取り外すことが出来る。
【００１８】
図１３は、電話機本体２０を取外した状態を示す一部を断面した側面図であり、図５（ｂ）および図５（ｃ）に示すように、コネクタガイド３４およびケーブルガイド３５の寸法ＡはコネクタＢ３８、ケーブルＢ３０２の寸法Ｂに対してＡ＞Ｂのように形成してあるのでコネクタＢ３８およびケーブルＢ３０２は各ガイドから容易に引き抜くことが可能であるが、電話機本体２０のコネクタＡ２４とブラケット３０に設置されたコネクタＢ３８は勘合状態にあり所定の引き抜き力を加えるか抜け止めを外さないと外れないので、ケーブルＡ３０１からコネクタＡ２４までの接続が保たれたまま電話機本体２０を取り外すことが出来るので保守点検作業を容易に行うことができる。
【００１９】
保守点検作業が終了した後に再び電話機本体２０を設置する場合は、コネクタＡ２４とコネクタＢ３８の接続を一旦外して、コネクタＢ３８およびケーブルＢ３０２を図５（ａ）に示した状態にもどした後設置すればよい。
【００２０】
図１４はブラケット３０の他の実施例を示し、（ａ）は側面図、（ｂ）はハンドセット１０を除いた状態における正面図である。
３９はブラケット３０の一端から延展し壁面４０へ固定可能のように形成した一時保留用フックである。通話中に回線を切断せず一時的にハンドセットをかけておくことが可能なフックであり、壁掛け電話機にはきわめて便利な機能で使い勝手が向上するものである。本実施例の形状を用いればブラケット３０と一体に形成できるので、きわめて安価に製作することができる。
【００２１】
以上、本実施例では電話機を壁面に設けた埋め込み穴へ設置する例を示したが、本考案はこの例に限られるものではなく、電話機を平坦な壁面へ設置することも可能である。
この場合、ブラケット３０を壁面へ固定し、電話回線であるケーブルＡを壁面から引き込み、端子台３７に接続するかまたはケーブルＡの終端がモジュラージャックのような標準的なコネクタで構成されている場合は直接電話機のコネクタＡ２４に接続すればよい。
本考案の壁取付け構造によれば、電話機を壁面に対して垂直方向に移動する動作のみで着脱可能なので、電話機の周囲に近接して他の機器が設置された場合でも保守点検作業を容易に行うことが可能であり、機器を設置するためのスペースを最小限に抑えることができる。
【図面の簡単な説明】
【００２２】
【図１】本考案による一実施例の全体構成を示す側面図
【図２】電話機本体の外観構造を示す正面図および側面図
【図３】電話機本体の外観構造を示す背面図
【図４】ブラケットの外観構造を示す図
【図５】ケーブル配線処理の方法を示す図
【図６】電話機本体を設置した状態を示す図
【図７】電話機本体の固定状態を示す説明図
【図８】図２におけるＡ−Ａ断面図
【図９】ハンドセットフックの外観構造図
【図１０】ハンドセットフックの回転動作を示す断面図
【図１１】ハンドセットフックを回転した後の電話機本体正面図
【図１２】取外し工具の作用を示す説明図
【図１３】電話機本体を取外した状態を示す図
【図１４】ブラケットの他の実施例を示す外観構造図
【符号の説明】
【００２３】
１０      ハンドセット
１１      ハンドセットコード
２０      電話機本体
２１      固定穴
２２      開放用穴
２３      ガイド収納部
２４      コネクタＡ
２５      ハンドセットフック
２５ａ    突起ａ
２５ｂ    突起ｂ
２６      工具挿入穴
２７      ハンドセットフック挿入穴
２９      電話機底部
２９１    長穴Ａ
２９２    長穴Ｂ
３０      ブラケット
３１      固定爪
３１ａ    固定爪テーパー部
３１ｂ    固定爪支持部
３２      ガイド部
３３      端子台取付け穴
３４      コネクタガイド
３５      ケーブルガイド
３６      ブラケット取付け穴
３７      端子台
３８      コネクタＢ
３９      一時保留用フック
３０１    ケーブルＡ
３０２    ケーブルＢ
４０      壁面
５０      埋め込み穴
６０      取外し工具
【図１】
0003141502.tif 000003
【図２】
0003141502.tif 000004
【図３】
0003141502.tif 000005
【図４】
0003141502.tif 000006
【図５】
0003141502.tif 000007
【図６】
0003141502.tif 000008
【図７】
0003141502.tif 000009
【図８】
0003141502.tif 000010
【図９】
0003141502.tif 000011
【図１０】
0003141502.tif 000012
【図１１】
0003141502.tif 000013
【図１２】
0003141502.tif 000014
【図１３】
0003141502.tif 000015
【図１４】
0003141502.tif 000016